(57)【要約】【課題】  煙道の設置作業の負担を軽減できるとともに、煙道の設置作業コストを確実に低減できる暖房器用排煙濾過装置を提案する。【解決手段】  薪ストーブ２から屋外ER2に延びた煙道３に装着され、当該薪ストーブ２で被燃焼物を燃焼する際に発生した排煙を濾過し、当該排煙を清浄化するようにしたことにより、排煙から臭気及び未燃焼ガス分子を除去でき、これにより完全燃焼時のみならず比較的煙が多量に発生し易い着火時や最小燃焼時であっても臭気のない、かつ無色透明でなる排煙を確実に排出できるので、屋根H2の上方まで伸びる煙道の設置を回避でき、かくして煙道３の設置作業の負担を軽減できるとともに、煙道３の設置作業コストを確実に低減できる。【選択図】図１
2006281077.tif 000002
【特許請求の範囲】
【請求項１】
屋内設置型暖房器から屋外に延びた煙道に装着され、前記屋内設置型暖房器で被燃焼物を燃焼する際に発生した排煙を濾過し、該排煙を清浄化することを特徴とする暖房器用排煙濾過装置。
【請求項２】
前記排煙から排熱を回収する熱交換器を備えることを特徴とする請求項１記載の暖房器用排煙濾過装置。
【請求項３】
クレオソート回収構造部を備えることを特徴とする請求項１又は２記載の暖房器用排煙濾過装置。
【請求項４】
前記排煙を濾過する濾過フィルタを備え、前記濾過フィルタは着脱自在に構成されていることを特徴とする請求項１乃至３のうちいずれか１項記載の暖房器用排煙濾過装置。
【請求項５】
前記煙道内の排煙を屋外へ排出させるための排出用ファンを備えることを特徴とする請求項１乃至４のうちいずれか１項記載の暖房器用排煙濾過装置。
【請求項６】
前記排出用ファンの回転を制御する制御部を備えることを特徴とする請求項５記載の暖房器用排煙濾過装置。
【請求項７】
主電源部から前記排出用ファンへの電力供給が停止されると、前記主電源部に替えて前記排出用ファンへ電力供給を開始する補助電源部を備えることを特徴とする請求項５又は６記載の暖房器用排煙濾過装置。
【請求項８】
前記屋内設置型暖房器にも直接装着可能な構成を有することを特徴とする請求項１乃至７のうちいずれか１項記載の暖房器用排煙濾過装置。
【発明の詳細な説明】
【技術分野】
【０００１】
本発明は暖房器用排煙濾過装置に関し、例えば薪ストーブや暖炉等の屋内に設置される屋内設置型暖房器に適用して好適なものである。
【背景技術】
【０００２】
近年、一般に多用されている灯油に代えて、薪を燃料として用いた薪ストーブが省資源等の見地から注目されている。ところで、こうした薪を燃料に用いた薪スト−ブでは、燃料の完全燃焼を図りにくく、セルロースやリグニン等の木材成分の微粒子や燃えない灰分等の未燃焼ガスが排煙に多く含まれており、完全燃焼時に臭気等がある煙が発生するという問題があった。このため、このような薪ストーブにおいては、燃焼室内に触媒を有する二次燃焼室を設け、この二次燃焼室内の触媒によって燃焼ガスの燃焼を促進し完全燃焼時に煙が発生することを防止し得るように設計されているものが知られている（例えば、特許文献１参照）。
【特許文献１】特開２０００−４６３３４号公報
【発明の開示】
【発明が解決しようとする課題】
【０００３】
ところで、かかる構成の薪ストーブでは、完全燃焼時に煙が発生することを防止し得るように設計されているものの、実際には完全燃焼時であっても微量な煙が発生し、特に着火時や最小燃焼時等には完全燃焼時よりも多くの煙が発生する。このため薪ストーブでは、屋外に煙を効率的に排出させるため、屋根の上方まで伸びた煙道を設置する必要があり、その結果、煙道の設置コストの負担が大きく、かつ煙道の設置作業も高所で行うことになるのでその設置作業が煩雑になるという問題があった。
【０００４】
そこで、本願発明は上記した問題点に鑑み、煙道の設置作業の負担を軽減できるとともに、煙道の設置作業コストを確実に低減できる暖房器用排煙濾過装置を提供することを目的とする。
【課題を解決するための手段】
【０００５】
上記目的を達成するために、請求項１に係る発明は、屋内設置型暖房器から屋外に延びた煙道に装着され、前記屋内設置型暖房器で被燃焼物を燃焼する際に発生した排煙を濾過し、該排煙を清浄化することを特徴とする。
【０００６】
また、請求項２に係る発明は、前記排煙から排熱を回収する熱交換器を備えることを特徴とする。
【０００７】
また、請求項３に係る発明は、クレオソート回収構造部を備えることを特徴とする。
【０００８】
また、請求項４に係る発明は、前記排煙を濾過する濾過フィルタを備え、前記濾過フィルタは着脱自在に構成されていることを特徴とする。
【０００９】
また、請求項５に係る発明は、前記煙道内の排煙を屋外へ排出させるための排出用ファンを備えることを特徴とする。
【００１０】
また、請求項６に係る発明は、前記排出用ファンの回転を制御する制御部を備えることを特徴とする。
【００１１】
また、請求項７に係る発明は、主電源部から前記排出用ファンへの電力供給が停止されると、前記主電源部に替えて前記排出用ファンへ電力供給を開始する補助電源部を備えることを特徴とする。
【００１２】
また、請求項８に係る発明は、前記屋内設置型暖房器にも直接装着可能な構成を有することを特徴とする。
【発明の効果】
【００１３】
本発明の請求項１記載の発明によれば、排煙を濾過するようにしたことにより、排煙から臭気及び未燃焼ガス分子を除去でき、これにより完全燃焼時のみならず比較的煙が多量に発生し易い着火時や最小燃焼時であっても臭気のない、かつ無色透明でなる排煙を確実に排出できるので、屋根の上方まで伸びる煙道の設置を回避でき、かくして煙道の設置作業の負担を軽減できるとともに、煙道の設置作業コストを確実に低減できる。
【００１４】
また、請求項２に記載の発明によれば、熱交換器によって排熱を回収するようにしたことにより、当該排熱を他の用途に再利用できる。
【００１５】
また、請求項３に記載の発明によれば、薪を燃焼させてゆく過程で発生するクレオソートを容易に回収できるので、薪を効率良く燃焼させることができる。
【００１６】
また、請求項４に記載の発明によれば、濾過フィルタを着脱自在に構成したことにより、所定時期に濾過フィルタを交換することができ、かくして暖房器用排煙濾過装置自体の耐用年数を延ばすことができる。
【００１７】
また、請求項５に記載の発明によれば、屋内設置型暖房器内で発生した排煙を強制的に屋外へ排出できるので、屋内に排煙が流れ込むことを防止できるとともに、排煙を確実に濾過させることができる。
【００１８】
また、請求項６に記載の発明によれば、屋内設置型暖房器内で発生した排煙の発生量に応じて排出用ファンの回転を調整できるので、排出用ファンでの無駄な電力消費を防止できる。
【００１９】
また、請求項７に記載の発明によれば、停電等により主電源部からの電力供給が停止した場合であっても、補助電源部を設けたことにより、当該補助電源部からの電力供給によって当該排出用ファンを回転駆動させ続けることができ、かくして屋内設置型暖房器内で発生した排煙を確実に屋外に排出させ続けることができる。
【００２０】
また、請求項８に記載の発明によれば、煙道に装着できない場合であっても、屋内設置型暖房器自体に装着できるので、確実に排煙を濾過でき、かくして排煙から臭気及び未燃焼ガス分子を除去できる。
【発明を実施するための最良の形態】
【００２１】
以下図面を参照して、本発明の好適な第１実施例について説明する。
【００２２】
（１）第１の実施の形態
図１は、全体として第１の実施の形態による排煙濾過機能付薪ストーブを示し、この排煙濾過機能付薪ストーブ１は、屋内ER1に設置された密閉式の薪ストーブ２と、この薪ストーブ２で薪を燃焼させた際に発生する排煙を屋外ER2まで導く煙道３と、この煙道３に装着されるチャンバ式の暖房器用排煙濾過装置４とから構成されている。
【００２３】
屋内設置型暖房器としての薪ストーブ２は、筒状の炉体５内に薪を投入して燃焼させ、これにより屋内ER1を暖房し得るようになされている。因みに、この炉体５内には、炉体５外から空気を供給する空気供給部や炉体５内を仕切る仕切部等（図示せず）を有し、当該仕切部で形成された上側空間の二次燃焼室（図示せず）において下側空間の一次燃焼室で発生する未燃焼ガスを燃焼させ、底部空間に配置した灰受部（図示せず）により当該炉体５内で燃焼した薪の灰を受けて収納し得るようになされている。なお、この二次燃焼室には、触媒を設け、この触媒を用いて未燃焼ガスを燃焼させるようにしても良い。
【００２４】
かかる構成に加えて、炉体上部5Aには煙道３の根元部６が接続されており、この煙道３へ炉体５内で発生した排煙が導かれるようになされている。
【００２５】
煙道３は、炉体５から所定の高さまで上方にほぼ垂直に延びた後、家屋Ｈの壁部H1側に折れ曲がり当該壁部H1を貫通して先端部７が屋外ER2に位置するように形成されており、ほぼ水平に延在した箇所に暖房器用排煙濾過装置４が装着された構成を有する。
【００２６】
暖房器用排煙濾過装置４は、屋内ER1に設けられた排煙濾過部10と、屋外ER2で支柱11に支持され煙道３の先端部７に装着された排煙ファン部12とで構成されおり、商用交流電源に接続されているコンセントからプラグ（図示せず）を介して排煙ファン部12に電力の供給を受けている。
【００２７】
これにより、暖房器用排煙濾過装置４は、排煙ファン部12内の排出用ファン９を回転駆動させ、これにより炉体５内の排煙を煙道３を介して排煙濾過部10内を通過させて当該排煙ファン部12から屋外ER2へ放出させ得るようになされている。
【００２８】
排煙濾過部10は、図２に示すように、箱状の筐体13内に中空部14を有し、当該筐体13に対向するようにして形成された導入口15と排出口16とが煙道３に連通しており、これにより排煙を導入口15及び中空部14を介して排出口16から排出する。
【００２９】
ここで中空部14には、ガラスクロスやカーボンクロス等の繊維部材からなる板状の濾過フィルタ17が着脱自在に複数枚設けられており、導入口15から導入した排煙がこれら濾過フィルタ17を順次通過した後に排出口16から排出し得るようになされている。このとき濾過フィルタ17は、排煙に含まれるセルロースやリグニン等の木材成分の微粒子や燃えない灰分等を捕らえ、排煙から臭気及び未燃焼ガス分子を除去し得る。
【００３０】
なお、この実施の形態において、ガラスクロスやカーボンクロス等の繊維部材からなる濾過フィルタ17を適用するようにした場合について述べたが、本発明はこれに限らず、軽石や赤玉、砂等の粉状物からなる濾過フィルタ、或いはガラスクロス等の繊維部材と軽石等の粉状物とを混合（すなわち、異なる濾過材を混合）させた濾過フィルタを用いるようにして良く、また、これら異なる部材でなる濾過フィルタを順次交互に複数枚設けるようにしても良い。この場合、異なる濾過材を用いるので一方の濾過材で除去しきれなかった臭気及び未燃焼ガス分子が排煙中に存在しても他の濾過材でなる濾過フィルタによって確実に除去することができ、かくして臭気のない、かつ無色透明でなる排煙を一段と確実に外気へ排出できる。
【００３１】
排煙濾過部10の筺体13には、開閉自在に設けられた扉部（図示せず）が設けられており、当該扉部を介して筐体13内部に設けられた濾過フィルタ17を交換し得るようになされている。
【００３２】
ところで、排煙ファン部12は、図示しない操作部及び制御部を備えており、当該操作部によって回転速度が設定されると、制御部が排出用ファン９の回転を制御し、これにより煙道３から排煙濾過部10へ導入する排煙の量を調整し得る。すなわち、制御部は、操作部の設定に応じて排出用ファン９の回転速度を速くさせることにより、排煙濾過部10へ導入する排煙の量を多くでき、かくして炉体５内で排煙が多量に発生しても当該排煙の臭気及びガス分子を濾過フィルタ17で確実に除去し得る。これに対して制御部は、操作部の設定に応じて排出用ファン９の回転速度を遅くさせることにより、排煙濾過部10へ導入する排煙の量を少なくでき、かくして炉体５内で発生する排煙の発生量に応じて排出用ファン９の回転を設定できるようになされている。
【００３３】
かかる構成に加えて暖房器用排煙濾過装置４は、補助電源部（図示せず）を備えており、商用交流電源から排煙ファン部12への電力の供給が停止されると、当該商用交流電源に替えて補助電源部から電力が供給され得るようになされている。
【００３４】
以上の構成において、排煙濾過機能付薪ストーブ１では、炉体５内で薪が燃焼するとともに、排出用ファン９が所定の回転速度で回転駆動する。これにより排煙濾過機能付薪ストーブ１では、燃焼時に炉体５内で発生した排煙を、排出用ファン９によって炉体上部5Aの煙道３を介して排煙濾過部10へ強制的に導くことができる。このとき排煙は、必ず排煙濾過部10内で濾過フィルタ17を通過することにより、当該濾過フィルタ17によってセルロースやリグニン等の木材成分の微粒子や燃えない灰分等が取り除かれる。すなわち暖房器用排煙濾過装置４は、常に濾過フィルタ17を介して排煙から臭気及び未燃焼ガス分子を除去することができるので、完全燃焼時のみならず比較的煙が多量に発生し易い着火時や最小燃焼時であっても臭気のない、かつ無色透明でなる排煙を確実に排出できる。
【００３５】
このとき炉体５内で多量の排煙が発生している場合、使用者は、操作部を介して排出用ファン９の回転速度を速くさせることにより、排煙濾過部10へ導入させる排煙の量を多くさせ、屋内ER1に排煙が流れ込むことを防止できるとともに、排煙濾過部10で排煙を確実に濾過させることができる。
【００３６】
これに対して、炉体５内で少量の排煙が発生している場合、使用者は、操作部を介して排出用ファン９の回転速度を遅くさせることにより、排煙濾過部10で排煙を確実に濾過させることができるとともに、排出用ファン９での無駄な電力消費を防止できる。
【００３７】
また、この排煙ファン部12は、補助電源部を備えていることから、停電等により主電源部としての商用交流電源から電力の供給が停止された場合であっても、当該補助電源部から電力の供給を受けることにより確実に回転駆動し続けることができる。
【００３８】
因みに、暖房器用排煙濾過装置４は、排煙濾過部10と排煙ファン部12とが別体に構成されており、当該排煙濾過部10が屋内ER1に設けられていることにより濾過フィルタ17を容易に交換できるとともに、排煙ファン部12が屋外ER2に設けられていることにより屋内ER1で排出用ファン９による騒音発生を防止できる。
【００３９】
以上の構成によれば、本実施例では、薪ストーブ２から屋外ER2に延びた煙道３に装着され、当該薪ストーブ２で被燃焼物としての薪を燃焼する際に発生した排煙を濾過し、当該排煙を清浄化するようにした。このように排煙を濾過するようにしたことにより、排煙から臭気及び未燃焼ガス分子を除去でき、これにより完全燃焼時のみならず比較的煙が多量に発生し易い着火時や最小燃焼時であっても臭気のない、かつ無色透明でなる排煙を確実に排出できるので、屋根H2（図１）の上方まで伸びる煙道の設置を回避でき、かくして煙道３の設置作業の負担を軽減できるとともに、煙道３の設置作業コストを確実に低減できる。
【００４０】
また、排煙を濾過する濾過フィルタ17を備え、当該濾過フィルタ17は着脱自在に構成するようにしたことにより、所定時期に濾過フィルタ17を自由に交換することができ、かくして暖房器用排煙濾過装置４自体の耐用年数を延ばすことができる。
【００４１】
さらに、煙道３内の排煙を屋外ER2へ排出させるための排出用ファン９を備えるようにしたことにより、薪ストーブ２内で発生した排煙を強制的に屋外ER2へ排出でき、かくして屋内ER1に排煙が流れ込むことを確実に防止できるとともに、排煙濾過部10によって排煙を確実に濾過させることができる。
【００４２】
さらに、排出用ファン９の回転を制御する制御部を備えるようにしたことにより、薪ストーブ２内での排煙の発生量に応じて排出用ファン９の回転を調整でき、これにより排出用ファン９での無駄な電力消費を防止でき、効率的に排煙を濾過して外気へ排出できる。
【００４３】
さらに、停電等に主電源部に替えて排出用ファン９へ電力供給を開始する補助電源部を備えるようにしたことにより、停電時であっても、当該補助電源部からの電力供給によって当該排出用ファン９を回転駆動させ続けることができ、かくして薪ストーブ２内で発生した排煙を確実に屋外ER2に排出させることができる。
【００４４】
（２）第２の実施の形態
図１との対応部分に同一符号を付して示す図３において、50は全体として第２の実施の形態による排煙濾過機能付薪ストーブを示し、この排煙濾過機能付薪ストーブ50は、屋内ER1に設置された薪ストーブ２と、この薪ストーブ２で薪を燃焼させた際に発生する排煙を屋外ER2まで導く煙道51と、この煙道51の先端部52に装着され屋外ER2に設置される屋外設置式の暖房器用排煙濾過装置53とから構成されている。なお、上述した第１の実施の形態と対応する部分の説明については重複するため省略する。
【００４５】
ここで煙道51は、炉体５から所定の高さまで上方にほぼ垂直に延びた後、家屋Ｈの壁部H1側に折れ曲がり当該壁部H1を貫通し屋外ER2で下方にほぼ鉛直に延び、地面Gに設置された暖房器用排煙濾過装置53の下側側部に先端部52が装着された構成を有する。
【００４６】
図４に示すように、暖房器用排煙濾過装置53は、排煙濾過部55と排煙ファン部56とが一体形成されており、当該排煙ファン部56が排煙濾過部55の上部に配置された構成を有する。
【００４７】
排煙濾過部55は、箱状の筐体57内に中空部58を有し、当該筐体57の家H側の側部57Aに煙道51と連通する導入口59が形成されているとともに、上部に排煙ファン部56と連通する排出口60が形成されている。これにより、導入口59から導入された排煙は中空部58を通過し排出口60を介して排煙ファン部56から外気へ排出される。
【００４８】
中空部58には、底部にクレオソートを回収するためのクレオソート回収構造部61が設けられており、このクレオソート回収構造部61はクレオソート受け皿61Aでクレオソートを含む液体等を受け止め、筺体57に開閉自在に設けた扉部（図示せず）からクレオソート受け皿61Aを引き出すことによりクレオソートを回収し得るようになされている。
【００４９】
因みに、クレオソート受け皿61Aにより回収した液体等の中には、木酸液も含まれていることから、当該液体等から木酸液についても容易に抽出できる。なお、この木酸液は、土壌殺菌や除草、立枯病等に利用し得るとともに、他の様々な有機成分との相乗効果により抗菌活性や消臭活性等にも利用し得る。
【００５０】
また、中空部58には、その上方の下側空間に冷却板65と熱交換器66とが設けられているとともに、上側空間に第１の濾過フィルタ67が設けられている。
【００５１】
冷却板65は、対向する側部57A及び57B内側にそれぞれ複数枚有し、各先端が斜め下方に延びており、当該先端が他の冷却板65の先端に当たらないように順次交互に配置されている。
【００５２】
熱交換器66は、冷却板65の根元に配置され、内部に不凍液が循環する筒状のパイプで構成されており、図示しないロードヒーティング装置に接続された構成を有する。これにより熱交換器66は、内部で循環する不凍液が排煙の排熱により加熱され、この加熱された不凍液が道路（図示せず）に埋設された放熱管に流入して当該道路を暖め得るようになされている。
【００５３】
第１の濾過フィルタ67は、複数枚有し、軽石や赤玉、砂等の粉状物によって板状に形成されており、中空部58に着脱自在に設けられ、筺体57に開閉自在に設けた扉部（図示せず）から引き出されて個別に交換し得るようになされている。第１の濾過フィルタ67は、導入口59から導入した排煙が順次通過し、排煙に含まれるセルロースやリグニン等の木材成分の微粒子や燃えない灰分等を捕らえ、排煙から臭気及び未燃焼ガス分子を除去し得る。
【００５４】
かかる構成に加えて排出口60には、第１の濾過フィルタ67とは異なる濾過材でなる第２の濾過フィルタ68が設けられており、さらに排出口60を排煙が通過する際に、排煙に含まれるセルロースやリグニン等の木材成分の微粒子や燃えない灰分等を捕らえ、排煙から臭気及び未燃焼ガス分子を除去し得る。因みに、この実施の形態の場合、第２の濾過フィルタ68はガラスクロスやカーボンクロス等の繊維部材によって形成されている。
【００５５】
ところで、排煙ファン部56は、上述した第１の実施の形態と同様に操作部、制御部及び補助電源部を備えているとともに、排出用ファン70を備えており、当該排出用ファン70が回転駆動されることにより、回転軸方向（垂直方向）から吸い込んだ排煙を、当該回転軸方向と直交する放射方向（水平方向）から外気へ放出し得るようになされている。
【００５６】
以上の構成において、排煙濾過機能付薪ストーブ50では、炉体５内で薪が燃焼するとともに、排出用ファン70が所定の回転速度で回転駆動する。これにより排煙濾過機能付薪ストーブ50では、燃焼時に炉体５内で発生した排煙を、排出用ファン70によって炉体上部5Aの煙道51を介して屋外ER2の排煙濾過部55へ強制的に導くことができる。排煙は、排煙濾過部55内における下側空間で熱交換器66内の不凍液を加熱させながら冷却板65間を通過して第１の濾過フィルタ67に導かれる。このとき熱交換器66は、ロードヒーティング装置（図示せず）に接続された構成を有することにより、この加熱された不凍液を道路に埋設された放熱管に流入させ、これにより当該道路を暖めることができ、かくして道路の凍結を防止できる。
【００５７】
また、排煙は、排煙濾過部55内における上側空間で第１の濾過フィルタ67を順次通過することにより、当該第１の濾過フィルタ67によってセルロースやリグニン等の木材成分の微粒子や燃えない灰分等が取り除かれる。すなわち暖房器用排煙濾過装置53は、第１の濾過フィルタ67を介して排煙から臭気及び未燃焼ガス分子を除去することにより、完全燃焼時のみならず比較的煙が多量に発生し易い着火時や最小燃焼時であっても臭気のない、かつ無色透明でなる排煙を確実に排出できる。
【００５８】
これに加えて暖房器用排煙濾過装置53では、第１の濾過フィルタ67とは異なる濾過材でなる第２の濾過フィルタ68を設けるようにしたことにより、第１の濾過フィルタ67では除去しきれなかった臭気及び未燃焼ガス分子が排煙中に存在しても第２の濾過フィルタ68によって確実に除去することができ、かくして臭気のない、かつ無色透明でなる排煙を一段と確実に外気へ排出できる。
【００５９】
なお、排煙ファン部56に設けられた操作部、制御部及び補助電源部の基本的動作は上述した第１の実施の形態と同一であるためその説明は省略する。
【００６０】
以上の構成によれば、本実施例では、上述した第１の実施の形態における効果に加えて、排煙から排熱を回収する熱交換器66を備えるようにしたことにより、当該熱交換器66によって回収した排熱をロードヒーティングに再利用できる。
【００６１】
また、クレオソート回収構造部61を備えるようにしたことにより、薪を燃焼させてゆく過程で発生するクレオソートを容易に回収でき、かくして薪を効率良く燃焼させることができる。
【００６２】
（３）第３の実施の形態
図１との対応部分に同一符号を付して示す図５において、80は全体として第３の実施の形態による排煙濾過機能付薪ストーブを示し、この排煙濾過機能付薪ストーブ80は、第１の実施の形態とは暖房器用排煙濾過装置81の配置が異なり、薪ストーブ２自体に暖房器用排煙濾過装置81を直接装着し、屋内ER1に暖房器用排煙濾過装置81全体を設置し得るようになされている。なお、上述した第１の実施の形態と対応する部分の説明については重複するため省略する。
【００６３】
この場合、暖房器用排煙濾過装置81は、排煙濾過部10と排煙ファン部12とが装着されて一体化されており、当該排煙濾過部55の下端が薪ストーブ２の炉体上部5Aに直接装着し得るとともに、排煙ファン部12の上部が煙道３の根元６に装着し得る構成を有する。
【００６４】
以上の構成において、暖房器用排煙濾過装置４では、薪ストーブ２自体に排煙濾過部10と排煙ファン部12とを一体化させた暖房器用排煙濾過装置81を直接装着できるので、屋外ER2に排煙ファン部12の設置スペースがなく、煙道３の先端部７に排煙ファン部12を装着できない場合であっても、排煙ファン部12を設けることができ、かくして薪ストーブ２から発生する排煙を屋外ER2に排出できるとともに、排煙濾過部10で確実に濾過できる。
【００６５】
また、暖房器用排煙濾過装置81では、屋内ER1に設置されている薪ストーブ２自体に直接装着することから、当該排煙濾過部10及び排煙ファン部12も屋内ER1に設置でき、かくして作業者は屋内ER1において濾過フィルタ17を容易に交換できるとともに、排出用ファン９が回転していることを容易に確認できる。
【００６６】
さらに、暖房器用排煙濾過装置81では、薪ストーブ２自体に直接装着するようにしたことにより、排煙濾過部10や排煙ファン部12の煙道３への装着を回避でき、その結果、煙道３に排煙濾過部10や排煙ファン部12による荷重が加わらない分、当該煙道３に対する負担を軽減できる。また、薪ストーブ２に対して暖房器用排煙濾過装置81を安定的に設置できる。
【００６７】
以上の構成によれば、本実施例では、上述した第１の実施の形態における効果に加えて、薪ストーブ２にも暖房器用排煙濾過装置81を直接装着可能な構成とした。これにより排煙濾過部10と排煙ファン部12とを煙道３に装着できない場合であっても、薪ストーブ２自体に排煙濾過部10と排煙ファン部12とを装着できるので、薪ストーブから発生する排煙を確実に濾過でき、かくして排煙から臭気及び未燃焼ガス分子を除去できる。
【００６８】
なお、本発明は、本実施形態に限定されるものではなく、本発明の要旨の範囲内で種々の変形実施が可能である。例えば、暖房器用排煙濾過装置４、53又は81を、開放式の薪ストーブや暖炉等この他種々の屋内設置型暖房器に用いても良く、また上述した第２の実施の形態において熱交換器66をロードヒーティング装置に替えて屋根融雪装置等の他の排熱利用装置に接続するようにしても良い。
【図面の簡単な説明】
【００６９】
【図１】第１の実施の形態による排煙濾過機能付薪ストーブの全体構成を示す側面図である。
【図２】第１の実施の形態における排煙濾過部の側断面構成を示す断面図である。
【図３】第２の実施の形態による排煙濾過機能付薪ストーブの全体構成を示す側面図である。
【図４】第２の実施の形態における暖房器用排煙濾過装置の側断面構成を示す断面図である。
【図５】第３の実施の形態による排煙濾過機能付薪ストーブの全体構成を示す側面図である。
【符号の説明】
【００７０】
１、50、80  排煙濾過機能付薪ストーブ
２  薪ストーブ
３、51  煙道
４、53、81  暖房器用排煙濾過装置
９、70  排出用ファン
17  濾過フィルタ
61  クレオソート回収構造部
67  第１の濾過フィルタ（濾過フィルタ）
68  第２の濾過フィルタ（濾過フィルタ）
【図１】
2006281077.tif 000003
【図２】
2006281077.tif 000004
【図３】
2006281077.tif 000005
【図４】
2006281077.tif 000006
【図５】
2006281077.tif 000007